(57)【特許請求の範囲】
【請求項１】
基材上に、盛り上がりのある画線が同一ピッチで、かつ、同一の画線幅で配置された相互に隣接する第１の面及び第２の面を含む潜像部と背景部が形成された印刷物であって、
前記潜像部における前記第１の面は、第１の方向に沿って前記画線が配列された領域により前記潜像部の潜像画像が形成され、
前記潜像部における前記第２の面は、前記第１の方向と異なる第２の方向に沿って前記画線が配列された領域により前記潜像画像の影画像が形成され、
前記背景部は、前記第１の方向及び前記第２の方向と異なる第３の方向に沿って前記画線が配列された領域により前記背景部が形成され、
前記印刷物を真上から観察した場合、前記潜像画像、前記影画像及び前記背景部は、一様の画線濃度を有する可視画像として観察され、
前記印刷物を所定の角度傾けて観察した場合、前記潜像画像、前記影画像及び前記背景部の視認濃度が異なり、かつ、前記影画像及び前記潜像画像の濃度差によって前記潜像部が立体的に観察されることを特徴とする偽造防止印刷物。
【請求項２】
前記第１の方向、前記第２の方向及び前記第３の方向がそれぞれ相互に２０度以上異なることを特徴とする請求項１記載の偽造防止印刷物。
【請求項３】
前記第１の方向、前記第２の方向及び前記第３の方向から選択されるいずれか一つの方向を０度とした場合に、他のいずれか一つの方向を３５〜４５度、残りの方向を７０〜９０度で設けていることを特徴とする請求項１又は２記載の偽造防止印刷物。
【請求項４】
前記第１の面、前記第２の面及び前記背景部の少なくともいずれか一つを複数の領域に分割し、前記複数の領域の各々に形成された前記画線を異なる角度で配置したことを特徴とする請求項１乃至３のいずれか一項に記載の偽造防止印刷物。
【請求項５】
基材上に、盛り上がりのある画線が同一ピッチで、かつ、同一の画線幅で配置された潜像部と背景部を有し、前記潜像部と前記背景部に形成する画線を異なる方向に配列することで潜像画像が形成された印刷物であって、
前記潜像部及び／又は前記背景部は、少なくとも３つ以上の領域に分割され、
前記潜像部のみが分割された場合、各々の分割された領域ごとに異なる方向に前記画線が配列され、
前記背景部のみが分割された場合、各々の分割された領域ごとに異なる方向に前記画線が配列され、
前記潜像部と前記背景部の双方が分割された場合、各々の分割された領域ごとに異なる方向に前記画線が配列され、
前記印刷物を真上から観察した場合、前記潜像部と前記背景部は、一様の画線濃度を有する可視画像として観察され、
前記印刷物を所定の角度傾けて観察した場合、前記潜像部及び／又は前記背景部の分割された領域ごとに濃度の異なるグラデーションが観察されることを特徴とする偽造防止印刷物。
【請求項６】
前記潜像部及び／又は前記背景部内において分割された領域内に形成した前記画線方向の角度が順次同一の角度で変化していることを特徴とする請求項５記載の偽造防止印刷物。
【請求項７】
前記潜像部及び前記背景部に形成された前記画線方向の角度が相互に２０度以上異なることを特徴とする請求項５又は６に記載の偽造防止印刷物。
【請求項８】
前記潜像部における分割された複数の領域の少なくともいずれか１つに配列された前記画線の方向と、前記背景部における分割された複数の領域の少なくともいずれか１つに配列された前記画線の方向との間には、５０度以上の相対的な角度差があることを特徴とする請求項５乃至７のいずれか１項に記載の偽造防止印刷物。
【請求項９】
前記潜像部内の複数の領域に形成されるそれぞれの前記画線方向の角度は、４５度以内で形成され、
前記背景部内の複数の領域に形成されるそれぞれの前記画線方向の角度は、４５度以内で形成されたことを特徴とする請求項５乃至８のいずれか１項に記載の偽造防止印刷物。
【請求項１０】
前記潜像部及び／又は前記背景部に形成された前記画線の少なくとも一部の単位長さ当たりの面積率を異ならせて配置することでカムフラージュ画像が形成されたことを特徴とする請求項１乃至９のいずれか１項に記載の偽造防止印刷物。
【請求項１１】
前記画線の画線幅が、０．０５〜０．３ｍｍで設けていることを特徴とする請求項１乃至１０のいずれか１項に記載の偽造防止印刷物。
【請求項１２】
前記画線の画線ピッチが、０．１〜０．６ｍｍで設けていることを特徴とする請求項１乃至１１のいずれか１項に記載の偽造防止印刷物。
【請求項１３】
前記画線の画線高さが、０．０２〜０．１０ｍｍで設けていることを特徴とする請求項１乃至１２のいずれか１項に記載の偽造防止印刷物。
【請求項１４】
前記基材は、白色系の色を有し、前記画線は、黒色系のインキによって形成されたことを特徴とする請求項１乃至１３のいずれか１項に記載の偽造防止印刷物。
【発明の詳細な説明】
【技術分野】
【０００１】
本発明は、銀行券、旅券、有価証券、商品券及び各種証明書等に、偽造及び複製の防止用として用いる潜像凹版画線を形成し、潜像凹版画線の配置角度を複数の領域ごとに異ならせて配置することで潜像画像を強調し、かつ、立体的な潜像画像が観察される偽造防止印刷物に関するものである。
【背景技術】
【０００２】
従来、銀行券、旅券、商品券及び各種証明書等の偽造防止印刷物は、偽造防止技術を付与することが求められ、それらについて、さまざま技術が開示されている。例えば、基材となる紙の製造工程で偽造防止技術を付与するすかし又はスレッド、印刷工程で偽造防止技術を付与する微小文字又はパール印刷、さらには、印刷工程後の別工程で偽造防止技術を付与するホログラム又はレーザ穿孔等が代表的である。【０００３】
これらの技術のうち、比較的コストが安価で偽造抵抗力の高い偽造防止技術の一つとして、潜像凹版が挙げられる。その理由として、偽造者の多くは、プリンタ等の簡易的な出力機によって偽造品を作製することが多いため、インキ膜厚の低い二次元的な構成の偽造品しか作製することができないこととなる。一方、潜像凹版は、盛り上がりを有する画線を縦横方向に規則的に配置することで潜像画像を形成しているため、三次元的な構成となり、特定の方向から観察することで、盛り上がりを有する画線の圧縮及び非圧縮により、縦方向の画線と横方向の画線に濃度差が生じて潜像画像を視認することができるものである。しかしながら、前述したとおり、プリンタで作製する偽造品では、盛り上がりを有する画線を形成することができないため、真正品をコピーしただけでは、潜像画像を形成することができず、その結果、偽造を困難としているものである。【０００４】
まず、公知の潜像凹版１’を有する印刷物Ｐ’の構成について、図面を用いて説明する。図２９は、凹版印刷で形成した潜像凹版１’の印刷物Ｐ’の構成を示したものであり、紙等の基材に潜像凹版１’を形成している。印刷物Ｐ’は、図３０に示すように、潜像部Ａ’と背景部Ｃ’から成り、潜像部Ａ’の複数の横画線ａＬ’及び背景部Ｃ’の複数の縦画線ｃＬ’は、規則的に配置され、かつ、盛り上がりのある画線で形成されている。また、潜像部Ａ’の横画線ａＬ’の画線幅ａＷ’と、背景部Ｃ’の縦画線ｃＬ’の画線幅ｃＷ’は、同一で形成されている。また、横画線ａＬ’の画線ピッチａＰ’と縦画線ｃＬ’の画線ピッチｃＰ’も同一で形成される。なお、図３０は、図２９の矩形部を拡大したものである。
【０００５】
次に、図３１及び図３２を用いて、印刷物Ｐ’の潜像画像について説明する。図３１は、印刷物Ｐ’に対する観察方向を示しており、観察方向Ｕ’は、潜像凹版１’を真上から視認した場合の観察方向を示しており、一方、観察方向Ｎ’は、潜像凹版１’に対して斜め方向から視認した場合の観察方向を示している。このとき、観察方向Ｕ’では、潜像部Ａ’と背景部Ｃ’の単位面積当たりの画線面積率が同一のため、潜像画像「Ｔ」を視認することができない。
【０００６】
次に、観察方向Ｎ’から視認した場合を説明する。まず、図２９に示す第１の観察方向（観察方向Ｓ１’及びＳ２’（Ｙ軸方向））から潜像凹版１’を視認した場合、図３２（ａ）に示すように、潜像部Ａ’の横画線ａＬ’は、観察方向と垂直となり、盛り上がりを有する横画線ａＬ’が非画線部の一部又は全部を隠ぺいすることで、見かけ上の視認濃度が高くなる。一方、背景部Ｃ’の縦画線ｃＬ’は、観察方向と平行となるため、非画線部の濃度の変化は生じない。その結果、潜像部Ａ’と背景部Ｃ’に濃度差が生じ、潜像部Ａ’から成る潜像画像「Ｔ」を視認することができる。
【０００７】
一方、図２９に示す第２の観察方向（観察方向Ｓ３’及びＳ４’（Ｘ軸方向））から潜像凹版１’を視認した場合、第１の観察方向とは画線構成が逆となるため、図３２（ｂ）のようになり、図３２（ａ）とは逆の視認濃度の潜像画像を視認することができる。
【０００８】
また、図２９に示す第３の観察方向（観察方向Ｓ５’及び方向Ｓ６’（斜め方向））から潜像凹版１’を視認した図が図３２（ｃ）であり、さらに、図２９に示す第４の観察方向（観察方向Ｓ７’及び観察方向Ｓ８’（他方の斜め方向））から潜像凹版１’を視認した図が図３２（ｄ）である。このとき、第３の観察方向及び第４の観察方向では、潜像画像「Ｔ」を視認することができない。理由は、斜め方向から視認しても、横画線ａＬ’と縦画線ｃＬ’とは、観察方向に対して同一角度となり、潜像部Ａ’と背景部Ｃ’に濃度差が生じないためである。なお、図３２は、第１の観察方向から第４の観察方向に対して、いずれか一方から観察した状態を示しているが、他方から観察した場合は、潜像画像及び背景画像の画像方向は逆となるが、視認濃度は変わらない。
【０００９】
このように、潜像凹版の技術は、種々開示されている（例えば、特許文献１参照）。【００１０】
また、潜像凹版の別の形態としては、縦画線と横画線に加えて斜め画線を設けることで、複数の潜像画像を視認することができる技術も開示されている（例えば、特許文献２参照）。
【先行技術文献】
【特許文献】
【００１１】
【特許文献１】特公昭５６−１９２７３号公報
【特許文献２】特開２００５−３３５１５３号公報
【発明の概要】
【００１２】
しかしながら、特許文献１の技術は、所定の観察方向から視認した場合、潜像部Ａ’と背景部Ｃ’との互いの濃度差により潜像画像を視認することができるが、単純な濃度差のみによる真偽判別方法であるため、より高度な真偽判別方法が求められていた。また、潜像画像と背景画像との濃度差は、言い換えると２つの異なる視認濃度の「２値画像」のみの真偽判別であり、濃度差による単純な「平面画像」のみの真偽判別であるため、「２値画像以上」で、「平面画像以上」の高度な真偽判別方法が求められていた。
【００１３】
また、図３２（ｃ）及び図３２（ｄ）の説明のとおり、観察方向によっては、潜像画像を視認することができないという課題があった。さらに、特許文献１の潜像凹版の構成は、規則的な縦方向と横方向の単純な画線構成であるため、ある程度の知見があれば容易に複製可能であり、偽造抵抗力が低下しているという課題があった。
【００１４】
また、特許文献２の潜像凹版を有する印刷物における潜像画像は、縦画線、横画線及び斜め画線で構成し、複数の潜像画像を視認することができる構成であるが、単位面積あたりの画線面積率が増え、可視画像が暗くなること、また、単位面積あたりの画線面積率に偏りが生じることから、可視画像に濃度ムラが生じ、デザイン上の制約が多いという課題がある。さらに、規則的な画線構成ではないため、潜像画像の視認性も悪いという課題があった。なお、本発明でいう「可視画像」とは、潜像凹版を観察方向Ｕ’から観察した場合に視認される画像をいう。
【００１５】
本発明は、前述した従来の問題点を解決し、潜像画像の視認性をより向上することで、高度な真偽判別を行うことができる偽造防止印刷物に関するものである。
【００１６】
本発明の偽造防止印刷物は、基材上に、盛り上がりのある画線が同一ピッチで、かつ、同一の画線幅で配置された相互に隣接する第１の面及び第２の面を含む潜像部と背景部が形成された印刷物であって、潜像部における第１の面は、第１の方向に沿って画線が配列された領域により潜像部の潜像画像が形成され、潜像部における第２の面は、第１の方向と異なる第２の方向に沿って画線が配列された領域により潜像画像の影画像が形成され、背景部は、第１の方向及び第２の方向と異なる第３の方向に沿って画線が配列された領域により背景部が形成され、印刷物を真上から観察した場合、潜像画像、影画像及び背景部は、一様の画線濃度を有する可視画像として観察され、印刷物を所定の角度傾けて観察した場合、潜像画像、影画像及び背景部の視認濃度が異なり、かつ、影画像及び潜像画像の濃度差によって潜像部が立体的に観察されることを特徴とする偽造防止印刷物である。
【００１７】
また、本発明の偽造防止印刷物は、第１の方向、第２の方向及び第３の方向がそれぞれ相互に２０度以上異なることを特徴とする偽造防止印刷物である。
【００１８】
また、本発明の偽造防止印刷物は、第１の方向、第２の方向及び第３の方向から選択されるいずれか一つの方向を０度とした場合に、他のいずれか一つの方向を３５〜４５度、残りの方向を７０〜９０度で設けていることを特徴とする偽造防止印刷物である。
【００１９】
また、本発明の偽造防止印刷物は、第１の面及び第２の面及び背景部の少なくともいずれか一つを複数の領域に分割し、複数の領域の各々に形成された画線を異なる角度で配置したことを特徴とする偽造防止印刷物である。
【００２０】
また、本発明の偽造防止印刷物は、基材上に、盛り上がりのある画線が同一ピッチで、かつ、同一の画線幅で配置された潜像部と背景部を有し、潜像部と背景部に形成する画線を異なる方向に配列することで潜像画像が形成された印刷物であって、潜像部及び／又は背景部は、少なくとも３つ以上の領域に分割され、潜像部のみが分割された場合、各々の分割された領域ごとに異なる方向に画線が配列され、背景部のみが分割された場合、各々の分割された領域ごとに異なる方向に画線が配列され、潜像部と背景部の双方が分割された場合、各々の分割された領域ごとに異なる方向に画線が配列され、印刷物を真上から観察した場合、潜像部と背景部は、一様の画線濃度を有する可視画像として観察され、印刷物を所定の角度傾けて観察した場合、潜像部及び／又は背景部の分割された領域ごとに濃度の異なるグラデーションが観察されることを特徴とする偽造防止印刷物である。
【００２２】
また、本発明の偽造防止印刷物は、潜像部及び／又は背景部内において分割された領域内に形成した画線方向の角度が順次同一の角度で変化していることを特徴とする偽造防止印刷物である。
【００２３】
また、本発明の偽造防止印刷物は、潜像部及び背景部に形成された画線方向の角度が相互に２０度以上異なることを特徴とする偽造防止印刷物である。
【００２４】
また、本発明の偽造防止印刷物は、前記潜像部における分割された複数の領域の少なくともいずれか１つに配列された前記画線の方向と、前記背景部における分割された複数の領域の少なくともいずれか１つに配列された前記画線の方向との間には、５０度以上の相対的な角度差があることを特徴とする偽造防止印刷物である。
【００２５】
また、本発明の偽造防止印刷物における潜像部内の複数の領域に形成されるそれぞれの画線方向の角度は、４５度以内で形成され、背景部内の複数の領域に形成されるそれぞれの画線方向の角度は、４５度以内で形成されたことを特徴とする偽造防止印刷物である。
【００２６】
また、本発明の偽造防止印刷物は、潜像部及び／又は背景部に形成された画線の少なくとも一部の単位長さ当たりの面積率を異ならせて配置することでカムフラージュ画像が形成されたことを特徴とする偽造防止印刷物である。
【００２７】
また、本発明の偽造防止印刷物は、画線幅を０．０５〜０．３ｍｍで設けていることを特徴とする偽造防止印刷物である。
【００２８】
また、本発明の偽造防止印刷物は、画線ピッチを０．１〜０．６ｍｍで設けていることを特徴とする偽造防止印刷物である。
【００２９】
また、本発明の偽造防止印刷物は、画線高さを０．０２〜０．１０ｍｍで設けていることを特徴とする偽造防止印刷物である。
【００３０】
さらに、本発明の偽造防止印刷物における基材は、白色系の色を有し、画線は、黒色系のインキによって形成されたことを特徴とする偽造防止印刷物である。
【発明の効果】
【００３１】
本発明の偽造防止印刷物として潜像部に第１の面及び第２の面を備えた印刷物は、従来の潜像凹版の構成である、潜像部（第１の面のみ）と背景部のみにより構成したものではなく、潜像部を第１の面及び第２の面で構成し、背景部を合わせた各領域の画線角度を異ならせることで、所定の観察方向から視認した場合、第２の面によって潜像画像を強調することができるとともに、潜像画像を立体的な画像として視認することができる。したがって、従来の潜像凹版では、潜像画像が「平面画像」による真偽判別であったが、本発明では、第１の面で形成した潜像画像に加え、第２の面で形成した影画像を備えた「立体画像」として真偽判別することができるため、より高度な真偽判別を行うことができる。【００３２】
また、所定の観察方向で視認すると、各観察方向で異なる潜像画像を視認することができるため、真偽判別性が向上した。【００３３】
また、本発明の偽造防止印刷物として潜像部及び／又は背景部を複数の領域に分割し、分割された領域の画線角度を異ならせて配置した印刷物は、所定の観察方向から視認した場合、潜像画像等にグラデーションを生じ、奥行き感のある潜像画像を視認することができる。よって、より潜像画像の視認性を向上することができ、高度な真偽判別が可能である。【００３４】
また、所定の観察方向で視認すると、各観察方向で異なるグラデーション濃度の潜像画像を視認することができるため、真偽判別性も向上した。なお、同様な構成で背景部の領域を分割し、画線角度を異ならせても同様の効果を有し、さらに、潜像部と背景部との構成を組み合わせることで、２種類のグラデーションも提供できる。したがって、従来の潜像凹版は、「２値画像」による真偽判別であったが、本発明では、３つ以上の異なる視認濃度の「多値画像」で真偽判別することができるため、より高度な真偽判別が可能である。なお、本発明の「グラデーション」とは、潜像部又は背景部の領域内で、少なくとも２つ以上、好ましくは３つ以上の濃度差により視認することができることをいう。【００３５】
また、潜像画像及び／又は背景画像がグラデーションで視認することができるが、構成要件の盛り上がりを有する画線は、特殊又は高価なインキ材料を用いず、一般的な黒系のインキ材料により実現できるため、安価で効果の高い偽造防止印刷物が提供できる。【００３６】
また、本発明の偽造防止印刷物は、潜像部及び背景部を規則的な画線で構成するため、夫々の領域に対する単位面積当たりの画線面積率は同一となる。そのため、可視画像の画像濃度が暗くならず、従来の可視画像と同様の視認農度を維持できるため、デザインの自由度が高い。【００３７】
さらに、本発明の偽造防止印刷物は、潜像部及び／又は背景部の分割した領域内の夫々の画線角度を異ならせて構成するため、画線構成が複雑となることで偽造防止性が向上するとともに、後述する表１〜表４のとおり、さまざまな形態により提案することができ、発展性や自由度が高い技術である。
【図面の簡単な説明】
【００３８】
【図１】本発明の印刷物の着想を示す図。
【図２】本発明の印刷物の観察方向を示す図。
【図３】本発明の印刷物の断面を示す図。
【図４】第１の実施の形態における印刷物の一例を示す図。
【図５】第１の実施の形態における潜像凹版の画線構成の一例を示す図。
【図６】第１の実施の形態における潜像部又は背景部の領域分けの例を示す図。
【図７】第１の実施の形態における印刷物の主観察方向の構成を示す図。
【図８】第２の実施の形態における印刷物の一例を示す図。
【図９】第２の実施の形態における潜像凹版の画線構成の一例を示す図。
【図１０】第２の実施の形態における潜像凹版の影部の例を示す図。
【図１１】第２の実施の形態における印刷物の主観察方向の構成を示す図。
【図１２】第１の実施の形態における印刷物を所定の観察方向から視認した図。
【図１３】実施例２の印刷物を示す図。
【図１４】実施例３の印刷物を所定の観察方向から視認した図。
【図１５】実施例４の印刷物を示す図。
【図１６】実施例５の印刷物を示す図。
【図１７】実施例５の印刷物を所定の観察方向から視認した図。
【図１８】実施例６の印刷物を示す図。
【図１９】第２の実施の形態における印刷物を所定の観察方向から視認した図。
【図２０】実施例８の印刷物を示す図。
【図２１】実施例９の印刷物を示す図。
【図２２】実施例１０の印刷物を示す図。
【図２３】実施例１１の印刷物を示す図。
【図２４】実施例１１の印刷物を所定の観察方向から視認した図。
【図２５】実施例１２の印刷物を示す図。
【図２６】実施例１３の印刷物を示す図。
【図２７】実施例１４の印刷物を示す図。
【図２８】実施例１４の印刷物を所定の観察方向から視認した図。
【図２９】従来の印刷物の一例を示す図。
【図３０】従来の潜像凹版の画線構成の一例を示す図。
【図３１】従来の印刷物の観察方向を示す図。
【図３２】従来の印刷物を所定の観察方向から視認した図。
【発明を実施するための形態】
【００３９】
本発明を実施するための形態について、図面を用いて説明する。しかしながら、本発明は、以下に述べる実施するための形態に限定されるものではなく、特許請求の範囲記載における技術的思想の範囲内であれば、その他いろいろな実施の形態が含まれる。
【００４０】
（本発明の着想）
まず、本発明の着想について、図１を用いて説明する。図１（ａ）は、同一の矩形内に規則的（画線幅と画線ピッチが同一）な盛り上がりを有する画線Ｌを１０度ずつ傾けて、０度から９０度までの角度で配置した印刷物Ｐである。この印刷物Ｐの画線Ｌは、画線幅を０．１６ｍｍ、画線ピッチを０．２５ｍｍ及び画線の高さを０．０３ｍｍとする。また、本発明の画線Ｌの角度θ１は、図１に示すように、Ｘ軸を基準（角度０度）としたときの角度をいう。
【００４１】
図１（ｂ）〜（ｅ）は、図１（ａ）の印刷物Ｐの各矩形に形成された画線Ｌを所定の観察方向から視認したときの視認濃度を模式的に示している。図中の度数は、画線Ｌの角度を示しており、カッコ内の数字は、矩形画像の視認濃度を数値化したものであり、視認濃度は、０〜９０％の範囲としている。視認濃度０％とは、最も暗く黒色で視認される状態であり、視認濃度９０％は、最も明るい白色として視認される状態である。さらに、視認濃度４０％及び５０％は、中間色の灰色で視認される状態である。なお、本発明の「矩形画像」とは、図２に示す観察方向Ｕ及び観察方向Ｎから視認することができる画像をいう。
【００４２】
観察方向の違いによって観察される矩形画像について説明する。図２に示すように、印刷物Ｐを真上からの観察方向Ｕから視認した場合、図１（ａ）に示す各矩形内には、画線が規則的に形成され、単位面積当たりの画線面積率が等しいため、各矩形画像は、いずれも同一濃度として視認することができる。すなわち、各矩形画像に視認濃度の差異が生じない状態で観察される。
【００４３】
次に、図２に示す印刷物Ｐの各矩形を斜めからの観察方向Ｎから視認した場合を説明する。まず、図１（ａ）に示す第１の観察方向（観察方向Ｓ１及びＳ２（Ｙ軸方向））で各矩形を視認した場合、画線０度では、盛り上がりを有する画線Ｌが非画線ＮＬを全て隠ぺいするため、黒色で視認されるが、一方、画線Ｌの角度θ１が大きくなるとともに、画線Ｌの傾きも大きくなることから、画線Ｌで非画線ＮＬを隠ぺいする量が徐々に減少し、画線９０度では、全く非画線ＮＬを画線Ｌが隠ぺいせず、白色として視認される。この結果、画線０度では、視認濃度０％（黒色）、・・・・、画線４０度では、視認濃度４０％（灰色）、画線５０度では、視認濃度５０％（灰色）、・・・・、画線９０度では、視認濃度９０％（白色）と矩形画像の視認濃度が異なる。したがって、図１（ａ）のように、矩形内に規則的な画線を設けた複数の矩形を隣接し、各矩形内の画線角度を１０度ずつ変化させることで、観察方向Ｎから視認するとグラデーションを視認することができる。
【００４４】
一方、図１（ａ）に示す第２の観察方向（観察方向Ｓ３及びＳ４（Ｘ軸方向））から各矩形を視認した場合、画線０度では、視認濃度９０％（白色）、・・・・、画線４０度では、視認濃度５０％（灰色）、画線５０度では、視認濃度４０％（灰色）、・・・・、画線９０度では、視認濃度０％（黒色）とグラデーション画像を観察することができるが、第１の観察方向と比較すると、矩形画像の視認濃度が逆となり、グラデーションの方向も逆になる。
【００４５】
さらに、図１（ａ）に示す第３の観察方向（視認方向Ｓ５及び方向Ｓ６（斜め方向））から各矩形を視認した場合、画線４０度と画線５０度とで最も視野濃度が低く、視認濃度８５％（白色）となり、その前後の画線角度では、徐々に視認濃度が高くなり、画線０度と画線９０度で最も視認濃度が高く、視認濃度４５％（灰色）となる。したがって、第１及び第２の観察方向と比較すると、矩形画像の視認濃度が異なるため、異なるグラデーションとなる。
【００４６】
また、第４の観察方向（視認方向Ｓ７及び視認方向Ｓ８（他方の斜め方向）から各矩形を視認した場合、画線４０度と画線５０度とで最も視認濃度が高く、視認濃度５％（黒色）となり、その前後の画線角度では、徐々に視認濃度が低くなり、画線０度と画線９０度で最も視認濃度が低く、視認濃度４５％（灰色）となる。したがって、第１の観察方向、第２の観察方向及び第３の観察方向と比較すると、矩形画像の視認濃度が異なるため、異なるグラデーションとなる。なお、本発明では、第１の観察方向から第４の観察方向を「所定の観察方向」という。
【００４７】
また、図１（ａ）に示す矩形内の画線Ｌの角度θ１を９０度〜１８０度の範囲とすることもでき、これらの構成であっても同様な視認濃度を有する。例えば、図１（ａ）の矩形内の画線Ｌを上から順に、画線０度と１８０度は同一、画線１０度を１７０度、画線２０度を１６０度、画線３０度を１５０度、画線４０度を１４０度、画線５０度を１３０度、画線６０度を１２０度、画線７０度を１１０度、画線８０度を１００度、画線９０度を同一に、夫々変更して配置した場合、印刷物Ｐを第１の観察方向から各矩形を視認した場合が、図１（ｂ）、印刷物Ｐを第２の観察方向から各矩形を視認した場合が、図１（ｃ）、印刷物Ｐを第３の観察方向から各矩形を視認した場合が、図１（ｅ）、印刷物Ｐを第４の観察方向から各矩形を視認した場合が、図１（ｄ）のように視認される。そのため、図１（ａ）の画線Ｌの画線角度をマイナス方向としても良いし、画線角度をプラス方向とマイナス方向との組み合わせとすることもできる。
【００４８】
したがって、本発明の着想は、規則的な画線Ｌを複数の矩形内に設け、各領域の画線角度を所定の角度ずつ異ならせ、かつ、各矩形を隣接して配置することで、印刷物を真上から視認したときには、各矩形画像の濃度差は生じないが、所定の観察方向から視認したときには、各観察方向で矩形画像の視認濃度が異なることから、グラデーションを視認することができることである。この着想を潜像凹版の構成に利用すれば、潜像画像及び／又は背景画像にグラデーションを設けることができる。
【００４９】
（潜像凹版の画線設計）
次に、図３を用いて本発明の画線構成を説明する。図３は、本発明における潜像凹版１の断面図であり、紙等の基材に対して、盛り上がりを有する画線Ｌを凹版印刷、スクリーン印刷又は発泡印刷等により形成する。画線Ｌの高さは、０．０１ｍｍ未満であると所定の観察方向から印刷物Ｐを視認した場合、画線Ｌの影で非画線ＮＬを隠ぺいするための観察角度θ２が極めて小さくなり、潜像画像の視認性が劣ることとなる。そのため、画線Ｌの高さは、０．０１ｍｍ以上とすることが好ましく、０．０２〜０．１０ｍｍの範囲とすることが更に好ましい範囲である。また、画線Ｌは、同一ピッチ及び同一の画線幅により規則的に配置する必要があり、画線Ｌの画線幅ＬＷは、０．０５〜０．３ｍｍとすることができ、好ましくは、０．１〜０．２ｍｍである。さらに、画線Ｌの画線ピッチＬＰは、０．１〜０．６ｍｍとすることができ、好ましくは、０．２〜０．３ｍｍである。ただし、非画線ＮＬの画線幅ＮＬＷが０．０２ｍｍ未満では、印刷時に画線詰りや拭き残り等の印刷トラブルが発生しやすいため、非画線ＮＬの画線幅ＮＬＷは、０．０２ｍｍ以上とすることが望ましい。よって、本発明の潜像凹版１は、前述の画線幅、画線ピッチ及び画線高さを適宜組み合わせて設計することができる。
【００５０】
また、画線Ｌの画線幅ＬＷと非画線幅ＮＬＷの比率は、画線幅ＬＷ：非画線幅ＮＬＷ＝１：１〜３：１が望ましい。理由は、前述の比率よりも画線幅ＬＷの比率が高いと、潜像凹版１の潜像画像が暗くなり、デザインの制約を受けるからである。一方、前述の比率よりも画線幅ＬＷの比率が低いと、潜像凹版１を所定の観察角度から視認した場合に、非画線ＮＬＷを画線Ｌで隠ぺいすることができない。ただし、潜像凹版１の一部にカムフラージュ図柄として画線Ｌを太細で形成する場合は、この限りではない。
【００５１】
（第１の実施形態）
次に、本発明の第１の実施の形態の印刷物Ｐにおける潜像凹版１の構成を説明する。図４に第１の実施の形態の潜像凹版１の構成を示しており、潜像部を形成する第１の面Ａと第２の面Ｂと背景部Ｃとで構成することが第１の実施の形態における１つ目の特徴である。図５は、図４の矩形内を拡大した図であり、第１の面Ａに画線ａＬを、第２の面Ｂに画線ｂＬを、背景部Ｃに画線ｃＬを規則的に配置する。このとき、画線ａＬの画線幅ａＷ、画線ｂＬの画線幅ｂＷ及び画線ｃＬの画線幅ｃＷは同一である。また、画線ａＬの画線ピッチａＰ、画線ｂＬの画線ピッチｂＰ及び画線ｃＬの画線ピッチｃＰは同一である。さらに、画線ａＬ、画線ｂＬ及び画線ｃＬの画線高さも同一である。
【００５２】
一方、画線ａＬ、画線ｂＬ及び画線ｃＬの各画線を配置する角度が異なることが、第１の実施の形態における２つ目の特徴である。よって、これらの２つの特徴を利用することで、第１の実施の形態の着想のとおり、所定の観察方向で視認した場合、潜像画像に影画像が加わり、奥行き感のある潜像画像を立体的に視認することができることから、潜像画像の視認性がより向上する。一方、所定の観察角度で視認した場合、第１の面Ａ及び第２の面Ｂで形成した潜像画像と背景部Ｃで形成した背景画像の夫々の画像は、視認濃度が異なり、高度な真偽判別を行うことができる。なお、本発明の潜像凹版１を、図２のように観察方向Ｕから観察した場合に視認される画像を「可視画像」とし、図２の観察方向Ｎで図４の所定の観察方向（第１〜第４の観察方向）で視認したときに、第１の面Ａの領域で視認される画像を「潜像画像」とし、第２の面Ｂの領域で視認される画像を「影画像」とし、更には背景部Ｃの領域で視認される画像を「背景画像」という。
【００５３】
（画線角度と視認濃度）
例えば、表１は、第１の実施の形態における潜像凹版１の第１の面Ａ、第２の面Ｂ及び背景部Ｃの代表的な画線の角度を示したものである。第１の面Ａ、第２の面Ｂ及び背景部Ｃの夫々の画線角度を４５度ずつ異ならせれば、表２の所定の観察方向から視認した場合に、各領域において大きな濃度差を視認することができるため、好適な組み合わせである。なお、水準１及び水準２は、第１の面Ａの画線角度を４５度としたものであり、水準３及び４は、背景部Ｃの画線角度を４５度としたものであり、水準５及び６は、第２の面Ｂの画線角度を４５度に固定し、その他の領域の画線角度を０度又は９０度で設けている。ただし、各領域の画線角度は、必ずしも４５度ずつ異ならせる必要はなく、印刷物のグラデーションを確認しながら、適宜、設計すれば良い。
【００５４】
【表１】
0005599124.tif 000002
【００５５】
また、表２は、表１の各水準で作製した潜像凹版を所定の観察方向から視認した場合の各領域の視認濃度を示している。
【００５６】
【表２】
0005599124.tif 000003
【００５７】
表２で示すとおり、各水準の潜像凹版は、所定の観察方向から視認される潜像画像、影画像及び背景画像の視認濃度に大きな濃度差を生じていることが分かる。そのため、潜像画像及び影画像の識別性も高く、好適な組み合わせである。
【００５８】
また、図１（ｂ）〜（ｅ）を見ても分かるとおり、画線角度０〜２０度は「黒色」、画線角度３０〜６０度は「灰色」、画線角度を７０〜９０度は「白色」として視認される。したがって、第１の面Ａ、第２の面Ｂ及び背景部Ｃの、いずれか一つの領域の画線角度を０〜２５度とし、２つ目の領域の画線角度を２５〜６５度とし、さらに、３つ目の画線角度を６５〜９０度とした組み合わせとしても良いが、好ましくはいずれか一つの画線領域の角度を０度とした場合に、他のいずれか一つの方向を３５〜４５度、残りの方向を７０〜９０度で設けることで、黒色、灰色及び白色のコントラストの高い潜像画像を形成することができる。
【００５９】
特に、第１の面Ａ、第２の面Ｂ及び背景部Ｃの画線角度に０度と画線角度９０度を用いる場合、残りの領域の画線角度は、２５度〜６５度の範囲で適宜選択すれば良い。理由は、所定の観察方向から視認しても、画線角度２５〜６５度では、何れも灰色として視認されるため、その他の領域との濃度差が生じるためである。
【００６０】
また、画線ａＬ、画線ｂＬ及び画線ｃＬの各画線角度の差が１０度以内では、所定の観察方向から視認したときの視認濃度の差も小さいため、各領域の視認濃度の差が生じない。そこで、第１の面Ａ、第２の面Ｂ及び背景部Ｃの画線の角度を少なくとも２０度以上にすることが望ましい。なお、マイナス方向の画線やプラス方向の画線とマイナス方向の画線とを組み合わせた構成でも構わない。図４と図５では、各画線を直線で示したが、点線、破線、二重線、波線、ジグザク線及び曲線等で構成することもできる。
【００６１】
（第２の面の構成）
次に、第２の面Ｂの構成について、図６を用いて説明する。図６（ａ）〜（ｃ）は、第１の面Ａに対して外側に第２の面Ｂを設けており、図６（ａ）は右上方向、図６（ｂ）は右下方向、図６（ｃ）は上方向に第２の面Ｂを設けている。一方、図６（ｄ）は、第１の面Ａの内側に第２の面Ｂを設けており、これらの構成から第１の面Ａ及び第２の面Ｂの配置を適宜選択すれば良いし、それ以外の配置であっても良い。
【００６２】
（主観察方向での構成）
図７は、第１の実施の形態の潜像凹版１を設けた印刷物Ｐである。一般的に、印刷物Ｐを視認する場合、印刷された図柄を上に向け、対向して観察する場合が多い。よって、潜像凹版１を最初に観察する方向（主観察方向という。）は、観察方向Ｓ２の場合が多い。そのため、観察方向Ｓ２で視認した場合に、最も潜像画像及び影画像の視認性が高い構成が望ましい。具体的には、主観察方向における潜像画像と影画像の視認性が高い構成は、図６（ａ）のように、第１の面Ａの斜め上方向に第２の面Ｂを設けることと、表１の水準１及び水準３のように、第２の面Ｂの画線角度を０度と黒色に視認させることである。この理由は、影画像の特徴として、物体の後方に黒く位置することで潜像画像が強調されやすくなるからである。したがって、主観察方向で視認した場合に、潜像画像に対して影画像を後方に黒く視認することができる構成とすることが望ましい。ただし、主観察方向には個人差があるため、第２の面Ｂの構成は適宜調整すれば良い。
【００６３】
なお、基材は、白色や黄色の淡い色相（白系色）とし、画線を形成するインキは、黒色、褐色、茶系及び紫色等の濃い色（黒系色）を用いることが望ましい。理由は、本発明の印刷物Ｐは、所定の観察方向で視認した場合に、潜像画像が影画像によって立体的に視認される構成とすることを目的としているため、基材と画線の濃度差が高いことが望ましいからである。なお、潜像画線は、特殊な効果を有するような高価なインキ材料を用いる必要はなく、一般的な黒系のインキ材料を用いれば良いが、必要であれば、光学的変化インキ、パールインキ、光沢インキ、金属インキ及び透明インキ等を用いることで、さらに、色彩変化や光輝性等の機能を加えても良い。
【００６４】
（第２の実施の形態）
次に、本発明の第２の実施の形態における潜像凹版１の構成を説明する。図８は、第２の実施の形態における潜像凹版１の構成を示しており、潜像部Ａと背景部Ｃとで構成し、さらに、潜像部Ａの領域を複数に分割することで、潜像部Ａ内にグラデーションを形成することが第２の実施の形態の特徴である。図９は、図８の矩形内を拡大した図であり、潜像部Ａは、横方向に上から第１の領域１Ａ、第２の領域２Ａ、第３の領域３Ａ及び第４の領域４Ａの４つの領域を設けている。また、第１の領域１Ａにおける画線１ａＬ、第２の領域２Ａにおける画線２ａＬ、第３の領域３Ａにおける画線３ａＬ、第４の領域における画線４ａＬ及び背景部Ｃにおける画線ｃＬを規則的に配置する。このとき、画線１ａＬの画線幅１ａＷ、画線２ａＬの画線幅２ａＷ、画線３ａＬの画線幅３ａＷ、画線４ａＬの画線幅４ａＷ及び画線ｃＬの画線幅ｃＷは、同一である。また、画線１ａＬの画線ピッチ１ａＰ、画線２ａＬの画線ピッチ２ａＰ、画線３ａＬの画線ピッチ３ａＰ、画線４ａＬの画線ピッチ４ａＰ及び画線ｃＬの画線ピッチｃＰも同一である。さらに、画線１ａＬ、画線２ａＬ、画線３ａＬ、画線４ａＬ及び画線ｃＬの画線高さも同一である。  
【００６５】
一方、画線１ａＬ、画線２ａＬ、画線３ａＬ、画線４ａＬ及び画線ｃＬの夫々の画線を配置する角度が所定の角度ずつ異なることが、第２の実施の形態における２つ目の特徴である。よって、前述した２つの特徴を利用し、潜像凹版１を構成すれば、所定の観察方向で視認した場合に、グラデーションを有する潜像画像を視認することができ、高度な真偽判別を行うことができる。なお、第２の実施の形態では、潜像凹版１を、図２のように真上からの観察方向Ｕから視認した場合に観察される画像を「可視画像」、一方、図２の観察方向Ｎで、図８の所定の観察方向（第１〜第４の観察方向）から視認したときに、潜像部Ａの領域により視認される画像を「潜像画像」、一方、背景部Ｃの領域により視認される画像を「背景画像」という。
【００６６】
（画線角度と視認濃度）
表３は、本発明の潜像凹版１の潜像部Ａに４つの領域を設け、各領域に配置する画線角度を変化させた一例である。水準１及び水準２は、潜像部Ａの各領域の画線角度を２２．５度ずつ異ならせている。また、水準３及び水準４は、潜像部Ａの各領域の画線角度を１５度ずつ異ならせており、効果的なグラデーションにするには、各画線角度を一定角度以上異ならせることが重要である。ただし、各領域の画線角度を、必ずしも一定角度ずつ異ならせる必要はなく、印刷物Ｐのグラデーションを確認しながら、適宜、設計すれば良い。なお、表３の水準３、水準４において示されたように、潜像部Ａ内の複数の領域に形成されるそれぞれの画線方向の角度が４５度以内で形成され、背景部Ｃ内の複数の領域に形成されるそれぞれの画線方向の角度が４５度以内で形成されてもよい。
【００６７】
【表３】
0005599124.tif 000004
【００６８】
また、表４は、表３の各水準で作製した潜像凹版を所定の観察方向から視認した場合の各領域の視認濃度を示している。なお、第２の実施の形態では、潜像部Ａの画線と背景部Ｃの画線との画線角度に最も大きな差がある画線同士を、「基準画線」という。具体的には、表３の水準１では、潜像部Ａの基準画線１ａＬは（０度）であり、背景部Ｃの基準画線ｃＬは（９０度）となる。このように、潜像部Ａにおける分割された複数の領域の少なくともいずれか１つに配列された画線の方向と、背景部Ｃにおける分割された複数の領域の少なくともいずれか１つに配列された画線の方向との間には、５０度以上の相対的な角度差があることが望ましい。
【００６９】
【表４】
0005599124.tif 000005
【００７０】
表４で示すとおり、各水準は、所定の観察方向（第１〜第４の観察方向）で潜像画像と背景画像を視認した場合、いずれの観察方向でも視認濃度が異なることが分かる。この結果、潜像画像をグラデーションとして視認することができる。なお、第２の実施の形態における潜像凹版を真上から観察した場合の可視画像では、潜像画像を視認することができない。
【００７１】
（潜像画像のグラデーションを優先）
また、水準１及び水準２は、グラデーション効果が高い（諧調性が高い）一例である。具体的には、潜像部Ａの画線角度を０〜６７．５度の範囲で２２．５度ずつ異ならせて構成するので、第１の観察方向と第２の観察方向では、６７．５％の範囲で２２．５％ずつの濃度差が段階的に視認されるため、グラデーション効果が高くなる。なお、潜像部Ａと背景部Ｃとの画線角度を２２．５度ずつ異ならせ、潜像画像と背景画像の濃度差も２２．５％のため、夫々の画像の識別性も高い。したがって、潜像部Ａの各領域と背景部Ｂとの夫々の領域の画線角度を２０度以上とすることで、潜像画像と背景画像を識別することができる。なお、各領域の画線角度の差を２０度未満とした場合でも、当然、グラデーション効果を得ることができる。
【００７２】
（潜像画像と背景画像の識別性を優先）
一方、水準３及び水準４は、潜像画像と背景画像との識別性が高く、潜像画像のグラデーションも視認することができる一例である。具体的には、潜像部Ａと背景部Ｃとの画線角度に４５度の差異を設けることで、第１と第２の観察方向では、４５％の濃度差が得られる。さらに、潜像部Ａの画線角度を０〜４５度の範囲で１５度ずつ異ならせて構成することで、第１の観察方向と第２の観察方向では、４５％の範囲で１５％ずつの濃度差を段階的に視認することができるため、グラデーションを有する画像として視認することができる。したがって、潜像部Ａと背景部Ｃの一方に画線角度０度、他方に画線角度９０度を設け、かつ、潜像部Ａの領域の画線角度を４５度以内で段階的に変化させることで、潜像画像と背景画像との識別性が高く、潜像画像のグラデーションも視認することができる構成である。
【００７３】
（潜像画線と背景画線の形態）
また、図８と図９では、各画線を直線で示したが、点線、破線、二重線、波線、ジグザク線及び曲線等で構成しても構わない。さらに、表３及び表４では、潜像部Ａを４分割した例で示したが、２分割以上であれば良い。ただし、効果的なグラデーションを視認するためには、３分割以上が好ましい。また、背景部Ｃも分割して画線角度を変更しても良い。
【００７４】
なお、表３の画線角度は０度から９０度の範囲としているが、９０度から１８０度の範囲とすることもできる。また、表４に示すように、視認濃度が最も高い例を０％としているが、図１に示すように、０〜２０％の範囲では、所定の観察方向から視認した場合、顕著な視認濃度の差はない。したがって、視認濃度が最も高い画線角度を０〜２０度の範囲で適宜選択すれば良い。
【００７５】
（潜像部及び背景部の領域分け）
次に、潜像部Ａ及び背景部Ｃの構成について図１０を用いて説明する。図１０（ａ）〜（ｃ）は、潜像部Ａを分割した例を示しており、図１０（ｄ）〜（ｆ）は、背景部Ｃを分割した例を示している。図１０（ａ）〜（ｆ）は、潜像部Ａ及び背景部Ｃを分割する一例であるが、縦方向に分割する構成、横方向に分割する構成又は斜め方向に分割する構成等とすることができ、適宜分割する範囲を選択すれば良い。なお、図１０（ａ）〜（ｃ）の潜像部Ａの構成と、図１０（ｄ）〜（ｆ）の背景部Ｃの構成を組み合わせても良い。ここで、潜像部Ａ及び背景部Ｃの領域分けについて、潜像部Ａ及び／又は背景部Ｃにおける複数の分割された領域を三つの領域に分割した例で説明したが、各々の領域を分割する数は、２以上であれば任意の分割数とすることができる。三つ以上の領域に分割することで、潜像部Ａ及び／又は背景部Ｃにおいて、明確なグラデーションが視認されることから、本発明の好ましい形態である。
【００７６】
（主観察方向での構成）
図１１は、第２の実施の形態の潜像凹版１を設けた印刷物Ｐを示したものである。一般的に、印刷物Ｐを視認する場合、印刷した図柄を上に向け、対向して観察する場合が多い。よって、潜像凹版１を最初に観察する方向（主観察方向という。）は、観察方向Ｓ２の場合が多い。そのため、観察方向Ｓ２で視認した場合に、最も潜像画像のグラデーション効果の高い構成が望ましい。具体的には、図１０（ａ）のように、潜像部Ａに対して横方向に領域を分割することと、表１の水準１及び水準３のように、潜像部Ａを分割した最上部の領域の画線角度を０度とすることである。理由は、観察方向Ｓ２から視認した場合、最も視認しやすい黒色を遠い位置に配置することで、グラデーションが一層視認しやすくなるからである。したがって、主観察方向で視認した場合、潜像画像のグラデーションは、後方側に黒色、手前側に白色のグラデーションとして視認することができる。
【００７７】
基材は、白色や黄色の淡い色相（白系色）とし、画線を形成するインキは、黒色、褐色、茶系及び紫色等の濃い色相（黒系色）とすることが望ましい。理由は、第２の実施の形態の印刷物は、所定の観察方向で視認すると、グラデーションを有する潜像画像及び／又は背景画像が視認される構成とすることを目的としているため、基材と画線の濃度差が高いことが望ましいからである。なお、画線は、特殊な効果を有する材料又は高価なインキ材料を用いる必要はなく、一般的な黒系のインキ材料を用いれば良いが、必要に応じて、光学的変化インキ、パールインキ、光沢インキ、金属インキ及び透明インキ等を用いて、さらに、色彩変化や光輝性等の機能を加えても良い。
【実施例１】
【００７８】
本発明の実施例について説明する。後述する実施例１乃至実施例６は、本発明の第１の実施の形態の潜像凹版１を有する印刷物Ｐである。実施例１の印刷物Ｐは、主観察方向に対して、潜像画像と影画像の視認性が高い一例である。図４に示すように、印刷物Ｐに凹版印刷によって潜像凹版１を形成し、基材を白色の用紙、凹版画線を黒色インキで形成した。潜像凹版１の構成は、図４及び図５に示すように、第１の面Ａ、第２の面Ｂ及び背景部Ｃの３つの領域からなり、第２の面Ｂは、図６（ａ）に示すように、第１の面Ａに対して右上方向に隣接して配置した。【００７９】
画線ａＬの画線幅ａＷ、画線ｂＬの画線幅ｂＷ及び画線ｃＬの画線幅ｃＷを０．１５ｍｍとした。また、画線ａＬの画線ピッチａＰ、画線ｂＬの画線ピッチｂＰ及び画線ｃＬの画線ピッチｃＰを０．２５ｍｍとした。さらに、画線ａＬ、画線ｂＬ及び画線ｃＬの画線高さを０．０３ｍｍとした。また、各領域の画線角度は、前述した表１の水準１のように、第１の面Ａにおける画線ａＬを４５度、第２の面Ｂにおける画線ｂＬを０度、背景部Ｃにおける画線ｃＬを９０度とした。【００８０】
このような構成で潜像凹版１を作製し、図４の潜像凹版１を観察方向Ｕである、すなわち、真上から潜像凹版１を視認しても潜像画像は視認することができない。一方、図４の潜像凹版１を所定の観察方向で視認した場合、各領域の視認濃度は、前述した表２の水準１のとおりである。【００８１】
図１２は、図４の潜像凹版１を所定の観察方向から視認した状態を示す模式図である。図１２（ａ）は、第１の観察方向（Ｓ２）から視認した場合に観察される図である。潜像画像は、視認濃度４５％の灰色、影画像は、視認濃度０％の黒色、背景画像は、視認濃度９０％の白色となり、各領域で視認濃度が異なる。次に、図１２（ｂ）は、第２の観察方向（Ｓ３）から視認した場合に観察される図である。潜像画像は、視認濃度４５％の灰色、影画像は、視認濃度９０％の白色、背景画像は、視認濃度０％の黒色となり、各領域で視認濃度が異なる。さらに、図１２（ｃ）は、第３の観察方向（Ｓ５）から視認した場合に観察される図である。潜像画像は、視認濃度９０％の白色、影画像は、視認濃度４５％の灰色、背景画像は、視認濃度４５％の灰色となり、潜像画像のみ異なる視認濃度となる。一方、図１２（ｄ）は、第４の観察方向（Ｓ７）から視認した場合に観察される図である。潜像画像は、視認濃度０％の黒色、影画像は、視認濃度４５％の灰色、背景画像は、視認濃度４５％の灰色となり、潜像画像のみ異なる視認濃度となる。【００８２】
この結果、第１の観察角度（Ｓ２）及び第２の観察方向（Ｓ３）では、各領域の視認濃度が異なり、潜像画像に影画像を加えることで、潜像画像を立体的に浮かび上がるように視認することができるため、潜像画像の視認性をより向上することができる。また、第１の観察方向は、主観察方向を含むため、より効果的な構成である。一方、第３の観察角度（Ｓ５）及び第４の観察方向（Ｓ７）では、潜像画像のみを視認することができる。よって、全ての観察方向において、異なる視認濃度の潜像画像及び／又は影画像を視認することができるため、高度な真偽判別を行うことができる。なお、図１２（ａ）〜（ｄ）は、所定の観察方向に対して、一方の観察方向を示したが、他方の観察方向（観察方向Ｓ１とＳ２の関係）でも、画像の向きは逆になるが、同様の視認濃度を有する潜像画像を観察することができる。
【実施例２】
【００８３】
実施例２は、凹版印刷時のワイピング方向を考慮した例である。なお、実施例２は、実施例１の変形例であるため、同一な構成は省略し、異なる構成のみ説明する。一般的に、凹版印刷では、ワイピング方向と同調（同一方向）する画線は、凹版版面における凹版画線の凹版インキがワイピングローラで拭き取られ、画線再現性が低いことが知られている。例えば、図４の実施例１の背景部Ｃにおける画線ｃＬの画線方向と、ワイピング方向が同一方向である場合、画線ｃＬの画線再現性が好ましくない場合がある。そこで、図１３に示すように、実施例２では、背景部Ｃの画線ｃＬの画線角度を７５度として、ワイピング方向と同調しない構成とし、凹版印刷の画線再現性を向上した。なお、所定の観察方向での視認状態は、図１に示すように、画線角度７５度と画線角度９０度では、顕著な濃度差はないため、図１２と同様な効果が得られ、高度な真偽判別を行うことができた。また、画線ｃＬの画線角度を７５度とした場合、画線ａＬの画線角度を３７．５度としても良い。
【実施例３】
【００８４】
実施例３は、第２の面Ｂの領域を複数に分割し、夫々の領域の画線角度を異ならせた一例である。なお、実施例３は、実施例１の変形例であるため、同一な構成は省略し、異なる構成のみ説明する。例えば、図１３における第２の面Ｂを、図示しないが第１の領域、第２の領域及び第３の領域の３つの領域に分割した。このとき、第２の面Ｂにおける第１の領域の画線の画線角度を０度、第２領域の画線の画線角度を１５度、第３の領域の画線の画線角度を３０度とした。次に、図１４に示すように、所定の観察方向での視認状態は、図１２と比較して分かるとおり、影画像に濃度差が生じることでグラデーションとなり、より立体的に潜像画像を視認することができることから、高度な真偽判別を行うことができた。なお、第２の面Ｂの分割数や画線角度は、適宜設計すれば良い。
【実施例４】
【００８５】
実施例４は、本発明の潜像凹版１を観察方向Ｕである、すなわち、真上から観察したときの第１の面Ａと第２の面Ｂをカムフラージュさせるための構成を備えた一例である。なお、実施例４は、実施例１の変形例であるため、同一な構成は省略し、異なる構成のみ説明する。図１５に示すとおり、実施例１の構成に加えて、第１の面Ａ、第２の面Ｂ及び背景部Ｃに、カムフラージュ部Ｄを設けて、カムフラージュ部Ｄ内の画線のみ画線幅を０．１８ｍｍとした。この構成によって、潜像凹版１を真上から観察したときに、「星」のカムフラージュ画像を視認することができ、第１の面Ａと第２の面Ｂのカムフラージュ性を向上することができた。また、所定の観察方向での視認状態は、図１２と同様の効果が得られ、高度な真偽判別を行うことができた。なお、カムフラージュ部Ｄ内の画線幅を他の画線より太くする例で説明したが、単位面積当たりの面積率が異なれば、画線ａＬ、画線ｂＬ及び画線ｃＬに対して、細くしても同様の効果を得ることができる。このように、潜像部及び背景部、あるいは潜像部又は背景部に形成された画線の少なくとも一部の単位長さ当たりの面積率を異ならせて配置することで、カムフラージュ画像を形成してもよい。
【実施例５】
【実施例５】
【００８６】
実施例５は、図６（ｂ）に示すように、第２の面Ｂを第１の面Ａの右下方向に設けた一例である。なお、実施例５は、実施例１の変形例であるため、同一な構成は省略し、異なる構成のみ説明する。例えば、図１６に示すように、第１の面Ａに隣接して第２の面Ｂを右下に設けている。次に、図１７に示すように、所定の観察方向での視認状態は、図１２と比較して分かるとおり、潜像画像に対する影画像の位置が変化しているが、全ての観察方向において異なる視認濃度の潜像画像及び／又は影画像を視認することができるため、高度な真偽判別を行うことができた。
【実施例６】
【実施例６】
【００８７】
実施例６は、実施例２の変形例であり、実施例２の１つの画線の角度を９０度から１８０度の範囲とした例である。具体的には、図１８に示すように、画線ａＬの画線角度を１３５度としたものである。なお、所定の観察方向から視認した場合は、図１２と同様な効果が得られ、高度な真偽版別を行うことができた。なお、各実施例の潜像凹版１を真上から観察したときには、潜像画像及び影画像は視認することができない。
【実施例７】
【実施例７】
【００８８】
次に、第２の実施の形態における潜像凹版１を有する印刷物Ｐの実施例を説明する。実施例７の印刷物Ｐは、主観察方向に対して潜像画像のグラデーション効果が高い構成であり、潜像凹版１の構成は、図８に示すような印刷物Ｐを、凹版印刷によって潜像凹版１を形成したものである。実施例７の印刷物は、基材を白色の用紙とし、凹版画線を黒色のインキにより形成した。次に、潜像凹版１の構成は、図８及び図９示すように、潜像部Ａと背景部Ｃとの領域からなり、潜像部Ａを、第１の領域１Ａ、第２の領域２Ａ、第３の領域３Ａ及び第４の領域４Ａの４分割とし、潜像部Ａを横方向に分割したものである。【００８９】
例えば、画線１ａＬの画線幅１ａＷ、画線２ａＬの画線幅２ａＷ、画線３ａＬの画線幅３ａＷ、画線４ａＬの画線幅４ａＷ及び画線ｃＬの画線幅ｃＷは、０．１５ｍｍとする。また、画線１ａＬの画線ピッチ１ａＰ、画線２ａＬの画線ピッチ２ａＰ、画線３ａＬの画線ピッチ３ａＰ、画線４ａＬの画線ピッチ４ａＰ及び画線ｃＬの画線ピッチｃＰは、０．２５ｍｍとする。さらに、画線１ａＬ、画線２ａＬ、画線３ａＬ、画線４ａＬ及び画線ｃＬの画線高さは、０．０３ｍｍとする。また、各領域の画線角度は、前述の表１の水準１のように、画線１ａＬを０度、画線２ａＬを２２．５度、画線３ａＬを４５度、画線４ａＬを６７．５度、背景部Ｃにおける画線ｃＬを９０度としている。【００９０】
このような構成で潜像凹版１を作製し、図８の潜像凹版１を観察方向Ｕである、すなわち、真上から視認した場合、潜像画像を視認することができない。一方、図８の潜像凹版１を所定の観察方向から視認した場合、各領域の視認濃度は、前述の表４の水準１のとおりの濃度となる。【００９１】
図１９は、本実施例７の潜像凹版１を所定の観察方向から視認した場合に観察される潜像画像の模式図である。図１９（ａ）は、第１の観察方向（Ｓ２）から視認した場合に観察される潜像画像を示す図である。潜像画像の視認濃度は、潜像部Ａの第１の領域１Ａが０％、第２の領域２Ａが２２．５％、第３の領域３Ａが４５％、第４の領域４Ａが６７．５％の視認濃度となり、グラデーション効果の高い潜像画像を視認することができる。一方、背景部Ｃは、９０％の視認濃度として観察されることから、潜像部Ａと視認濃度の異なる背景画像を視認することができる。
【００９２】
また、図１９（ｂ）は、第２の観察方向（Ｓ３）から視認した場合に観察される潜像画像を示す図である。潜像画像の視認濃度は、第１の領域１Ａが９０％、第２の領域２Ａが６７．５％、第３の領域３Ａが４５％、第４の領域４Ａが２２．５％の視認濃度となり、グラデーション効果の高い潜像画像を視認することができる。一方、背景部Ｃは、０％の背景画像として視認される。
【００９３】
さらに、図１９（ｃ）は、第３の観察方向（Ｓ５）から視認した場合に観察される潜像画像を示す図である。潜像画像の視認濃度は、第１の領域１Ａが４５％、第２の領域２Ａが６７．５％、第３の領域３Ａが９０％、第４の領域４Ａが６７．５％となる。一方、背景部Ｃは、４５％の背景画像を視認することができる。したがって、第１の領域１Ａと背景領域Ｃは、同一濃度として視認されるが、第２の領域２Ａ、第３の領域３Ａ及び第４の領域４Ａからなるグラデーションを有する画像を視認することができる。
【００９４】
一方、図１９（ｄ）は、第４の観察方向（Ｓ７）から視認した場合に観察される潜像画像を示す図である。潜像画像の視認濃度は、第１の領域１Ａが４５％、第２の領域２Ａが２２．５％、第３の領域３Ａが０％、第４の領域４Ａが２２．５％となる。一方、背景部Ｃは、４５％の背景画像を視認することができる。したがって、第１の領域１Ａと背景領域Ｃは、同一濃度として視認されるが、第２の領域２Ａ、第３の領域３Ａ及び第４の領域４Ａからなるグラデーションを有する画像を視認することができる。
【００９５】
この結果、第１の観察方向（Ｓ２）及び第２の観察方向（Ｓ３）から観察した場合、グラデーション効果の高い潜像画像を奥行き感のあるように視認することができるため、より潜像画像の視認性が向上した。また、第１の観察方向（Ｓ２）は、主観察方向を含むため、より効果的な構成である。一方、第３の観察方向（Ｓ５）及び第４の観察方向（Ｓ７）では、潜像画像の一部がグラデーションを有する画像として視認される。したがって、第１の観察方向、第２の観察方向、第３の観察方向及び第４の観察方向では、潜像画像のグラデーションが異なるため、高度な真偽判別を行うことができる。なお、図１９（ａ）〜図１９（ｄ）は、所定の観察方向に対して、一方の観察方向を示したが、他方の観察方向（例えば、Ｓ２に対してＳ１）でも、画像の向きは逆になるが、同様のグラデーションを有する潜像画像を視認することができる。また、各実施例の潜像凹版１を観察方向Ｕである、すなわち、真上から観察した際の可視画像には、潜像画像が視認されない。
【実施例８】
【実施例８】
【００９６】
実施例８は、凹版印刷時のワイピング方向を考慮した例である。なお、実施例８は、実施例７の変形例であるため、同一な構成は省略し、異なる構成のみ説明する。一般的に、凹版印刷では、ワイピング方向と同調（同一方向）する画線は、凹版版面における凹版画線内の凹版インキがワイピングローラで拭き取られ、印刷再現性が低いことが知られている。例えば、図８の実施例７における背景部Ｃにおける画線ｃＬの画線方向とワイピング方向が同一方向である場合、画線ｃＬの画線再現性が好ましくない場合がある。そこで、図２０に示すように、実施例８では、画線ｃＬの画線角度を７５度として、ワイピング方向と同調しない構成することで、凹版印刷の画線再現性を向上した。なお、所定の観察方向での視認状態は、図１に示すように、画線角度７５度と画線角度９０度では、所定の観察方向から視認した場合、顕著な濃度差はないため、図１９と同様な効果が得られ、高度な真偽判別を行うことができた。
【００９７】
なお、ワイピング方向を考慮した場合、画線ｃＬの画線角度は、７０〜８９度で設けることが望ましい。理由は、図１に示すように、画線角度の７０〜８９度の範囲では、所定の観察方向から視認した場合、視認濃度に大きな差がないためである。このため、画線ｃＬの画線角度に応じて、画線１ａＬ、画線２ａＬ、画線３ａＬ及び画線４ａＬを適宜調整すれば良い。好ましくは、画線１ａＬ、画線２ａＬ、画線３ａＬ及び画線４ａＬの画線角度の差は等しいことが望ましく、例えば、画線ｃＬを７５度にした場合、画線１ａＬは０度、画線２ａＬは１８．７５度、画線３ａＬは３７．５度、画線４ａＬは５６．２５度にすることで、顕著なグラデーションを再現することができる。
【実施例９】
【００９８】
実施例９は、潜像凹版１を有する印刷物Ｐを観察方向Ｕである、すなわち、真上から観察したときの潜像部Ａのカムフラージュ性を向上させた一例である。なお、実施例９は、実施例７の変形例であるため、同一な構成は省略し、異なる構成のみ説明する。図２１に示すとおり、実施例７の構成に加えて、潜像部Ａと背景部Ｃにカムフラージュ部Ｄを設け、カムフラージュ部Ｄ内の画線のみ画線幅を０．１８ｍｍとした。この構成によって、潜像凹版１を真上から観察したときに、「星」のカムフラージュ画像を視認することができ、潜像部Ａのカムフラージュ性が向上した。なお、所定の観察方向での視認状態は、図１９と同様な効果が得られ、高度な真偽判別を行うことができた。なお、カムフラージュ部Ｄ内の画線幅：潜像部Ａ及び背景部Ｃの画線幅＝１：±１．１〜±１．４が望ましい。
【実施例１０】
【実施例１０】
【００９９】
実施例１０は、実施例７の潜像部Ａと背景部Ｃの構成を逆にした例である。なお、実施例１０は、実施例７の変形例であるため、同一な構成は省略し、異なる構成のみ説明する。実施例１０は、潜像部Ａの画線角度は一定であるが、背景部Ｃを第１の領域１Ｃ、第２の領域２Ｃ、第３の領域３Ｃ及び第４の領域４Ｃに分割したものであり、夫々の領域の画線の角度を異なる方向として配置したものである。具体的には、図２２に示すように、各領域の画線角度は、背景部Ｃにおける第１の領域１Ｃの画線１ｃＬが６７．５度、第２の領域２Ｃの画線２ｃＬが４５度、第３の領域３Ｃの画線３ｃＬが２２．５度、第４の領域４Ｃの画線４ｃＬが０度、潜像部Ａにおける画線ａＬが９０度である。この印刷物Ｐを所定の観察方向から視認した状態については図示しないが、図１９では、潜像画像がグラデーションをなして視認することができるが、実施例１０では、背景画像がグラデーションを有する画像として視認される。このため、グラデーション効果が高い背景画像を視認することができ、高度な真偽判別を行うことができた。
【実施例１１】
【実施例１１】
【０１００】
実施例１１は、図２３に示すように、実施例７の潜像部Ａと実施例１０の背景部Ｃの構成を組み合わせた例である。図２４に、実施例１１の潜像凹版１を所定の観察方向で視認した場合に観察される潜像画像の模式図を示す。図２４（ａ）は、第１の観察方向（Ｓ２）、図２４（ｂ）は、第２の観察方向（Ｓ３）、図２４（ｃ）は、第３の観察方向（Ｓ５）、図２４（ｄ）は、第４の観察方向（Ｓ７）から視認した場合に観察される潜像画像を示す図であり、潜像画像と背景画像の２つのグラデーションの視認濃度が逆方向で視認される。このため、更に潜像画像の視認性が向上するとともに、より高度な真偽判別を行うことができた。なお、潜像部Ａ及び背景部Ｃ、あるいは潜像部Ａ又は背景部Ｃにおける複数の分割された領域は２以上の任意の分割数でよいが、３以上であることが望ましい。
【実施例１２】
【実施例１２】
【０１０１】
実施例１２は、実施例８の変形例であり、実施例８における１つの画線の角度を９０度から１８０度の範囲とした例である。具体的には、図２５に示すように、画線ｃＬの画線角度を１０５度とした。なお、所定の観察方向から視認した場合は、図１９と同様な効果が得られ、高度な真偽判別を行うことができた。
【実施例１３】
【実施例１３】
【０１０２】
実施例１３は、実施例８の変形例であり、実施例８における２つの画線の角度を９０度から１８０度の範囲とした例である。具体的には、図２６に示すように、画線ｃＬの画線角度を１０５度、画線３ａＬの画線角度を１３５度とした。なお、所定の観察方向から視認した場合は、図１９と同様な効果が得られ、高度な真偽判別を行うことができた。
【実施例１４】
【実施例１４】
【０１０３】
実施例１４は、第１の実施の形態で形成した第１の面（潜像画像）Ａ、第２の面（影画像）Ｂ及び背景部Ｃを有する構成で、かつ、第１の面Ａ内を複数の領域に分割し、分割されたそれぞれの領域の画線角度を９０度から１８０度の範囲とすることでグラデーションを形成した変形例である。図２７は、実施例１４の印刷物Ｐであり、画線構成は、第１の面Ａ、第２の面Ｂ及び背景部Ｃでなり、各領域の画線角度は、第１の面Ａにおける第１の領域１Ａの画線１ａＬを１５７．５度、第２の領域２Ａの画線２ａＬを１３５度、第３の領域３Ａの画線３ａＬを１１２．５度、第２の面Ｂにおける画線ｂＬを０度、背景部Ｃにおける画線ｃＬを９０度としている。
【０１０４】
図２８に、実施例１４の潜像凹版１を所定の観察方向で視認した場合に観察される潜像画像の模式図を示す。図２８（ａ）は、第１の観察方向（Ｓ２）から視認される潜像画像、図２８（ｂ）は、第２の観察方向（Ｓ３）から視認される潜像画像であり、双方ともに第１の面Ａに形成されたグラデーションと第２の面Ｂの視認濃度が異なるため、より立体的な潜像画像を視認することができた。一方、図２８（ｃ）は、第３の観察方向（Ｓ５）から視認される潜像画像、図２８（ｄ）は、第４の観察方向（Ｓ７）から視認される潜像画像であり、第２の面Ｂと背景部Ｃの視認濃度が等しいため、同一画像として視認されるが、第１の面Ａに形成されたグラデーションにより、立体的な潜像画像を視認することができた。このため、潜像画像の視認性が向上するとともに、より高度な真偽判別を行うことができた。
【０１０５】
このように、本発明の潜像凹版の構成は、各領域の画線角度を変化させることで、多くの潜像凹版の形態を提案することができ、これに伴い、所定の観察方向から視認した場合に潜像画像及び背景画像の視認濃度も変化し、高度な真偽判別を行うことができる。また、従来の潜像凹版と比較して、潜像画像及び／又は背景画像を、グラデーションを有する画像として視認することができ、さらに、第２の面Ｂ（影画像）を形成することで、潜像画像の輪郭部分が強調されて立体的な潜像画像を観察することができるとともに、各画線の単位当たりの画線面積率が変わらないため、潜像模様が暗くならず、デザイン設計の自由度も高い。
【符号の説明】
【０１０６】
１、１’      潜像凹版
Ｐ、Ｐ’      印刷物
Ａ、Ａ’      潜像部、第１の面
Ｂ            影部、第２の面
Ｃ、Ｃ’      背景部
Ｄ            カムフラージュ部
Ｕ、Ｕ’      真上からの観察方向
Ｎ、Ｎ’      斜め上からの観察方向
Ｓ１、Ｓ２、Ｓ１’、Ｓ２’      印刷物に対し斜め上方向からＹ軸方向での観察方向
Ｓ３、Ｓ４、Ｓ３’、Ｓ４’      印刷物に対し斜め上方向からＸ軸方向での観察方向
Ｓ５、Ｓ６、Ｓ５’、Ｓ６’      印刷物に対し斜め上方向から斜め方向での観察方向
Ｓ７、Ｓ８、Ｓ７’、Ｓ８’      印刷物に対し斜め上方向から斜め方向での観察方向
ａＬ、１ａＬ、２ａＬ、３ａＬ、４ａＬ、ａＬ’      潜像部又は第１の面の画線
ｂＬ、１ｂＬ、２ｂＬ、３ｂＬ、                    第２の面の画線
ｃＬ、１ｃＬ、２ｃＬ、３ｃＬ、４ｃＬ、ｃＬ’      背景部の画線
ａＷ、１ａＷ、２ａＷ、３ａＷ、４ａＷ、ａＷ’      潜像部又は第１の面の画線幅
ｂＷ                                              第２の面の画線幅
ｃＷ                                              背景部の画線幅
ａｐ、１ａＰ、２ａＰ、３ａＰ、４ａＰ、ａＰ’      潜像部又は第２の面の画線ピッチ
ｂＰ                                              第２の面の画線ピッチ
ｃＰ、ｃＰ’                                      背景部の画線ピッチ
Ｌ        画線
ＬＷ      画線幅
ＬＰ      画線ピッチ
ＮＬ      非画線
ＮＬＷ    非画線部の画線幅
θ１、θ２      角度
１Ａ、１Ｂ、１Ｃ      第１の領域
２Ａ、２Ｂ、２Ｃ      第２の領域
３Ａ、３Ｂ、３Ｃ      第３の領域
４Ａ、４Ｃ      第４の領域
【図２】
0005599124.tif 000006
【図３】
0005599124.tif 000007
【図４】
0005599124.tif 000008
【図７】
0005599124.tif 000009
【図８】
0005599124.tif 000010
【図１１】
0005599124.tif 000011
【図１３】
0005599124.tif 000012
【図１５】
0005599124.tif 000013
【図１６】
0005599124.tif 000014
【図１８】
0005599124.tif 000015
【図２０】
0005599124.tif 000016
【図２１】
0005599124.tif 000017
【図２２】
0005599124.tif 000018
【図２３】
0005599124.tif 000019
【図２５】
0005599124.tif 000020
【図２６】
0005599124.tif 000021
【図２７】
0005599124.tif 000022
【図２９】
0005599124.tif 000023
【図３１】
0005599124.tif 000024
【図１】
0005599124.tif 000025
【図５】
0005599124.tif 000026
【図６】
0005599124.tif 000027
【図９】
0005599124.tif 000028
【図１０】
0005599124.tif 000029
【図１２】
0005599124.tif 000030
【図１４】
0005599124.tif 000031
【図１７】
0005599124.tif 000032
【図１９】
0005599124.tif 000033
【図２４】
0005599124.tif 000034
【図２８】
0005599124.tif 000035
【図３０】
0005599124.tif 000036
【図３２】
0005599124.tif 000037